(57)【要約】  ＲＲＢ配置情報の変更に伴う通信断を回避する無線通信方法及び無線通信システムを開示する。ＳＴ３０１では、Ｎｏｄｅ Ｂ（１００）がＲＲＢ配置情報と共にＲＲＢ配置バージョンを含めた報知情報を送信し、ＳＴ３０２では、Ｎｏｄｅ Ｂ（１００）から送信された報知情報に含まれるＲＲＢ配置情報とＲＲＢ配置バージョンとをＵＥ（２００）が保持する。ＳＴ３０３では、ＵＥ（２００）が、保持したＲＲＢ配置情報を用いて算出されたＣＱＩ報告値と保持したＲＲＢ配置バージョンとを含めたＣＱＩ情報を作成し、ＳＴ３０４では、ＵＥ（２００）がＣＱＩ情報をＮｏｄｅ Ｂ（１００）に送信する。ＳＴ３０５では、Ｎｏｄｅ Ｂ（１００）が、受信したＣＱＩ情報に含まれるＲＲＢ配置バージョンから判定されたＲＲＢ配置情報に基づいてスケジューリングを行い、ＳＴ３０６では、Ｎｏｄｅ Ｂ（１００）がスケジューリング情報をＵＥ（２００）に送信する。
2007052769.tif 000002
【特許請求の範囲】
【請求項１】
周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとを管理する管理手段と、
前記配置情報と前記配置バージョンとを含めた報知情報を前記配置情報が変更されるたびに作成する報知情報作成手段と、
前記報知情報を送信する送信手段と、
を具備する無線通信基地局装置。
【請求項２】
前記配置情報に基づいて算出されたＣＱＩ報告値と、前記配置バージョンとが含まれたＣＱＩ情報を通信相手である無線通信移動局装置から受信するＣＱＩ受信手段と、
前記ＣＱＩ情報に含まれた前記配置バージョンに対応する配置情報を前記管理手段から取得し、取得した前記配置情報及び前記ＣＱＩ報告値に基づいて、前記無線通信移動局装置のスケジューリングを行うスケジューリング手段と、
を具備する請求項１に記載の無線通信基地局装置。
【請求項３】
周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を受信する受信手段と、
前記配置情報に基づいて、ＣＱＩ報告値を算出するＣＱＩ報告値算出手段と、
前記ＣＱＩ報告値と前記配置バージョンとを含めたＣＱＩ情報を作成するＣＱＩ情報作成手段と、
前記ＣＱＩ情報を送信する送信手段と、
を具備する無線通信移動局装置。
【請求項４】
無線通信移動局装置が、周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を無線通信基地局装置から受信し、前記配置情報に基づいて算出されたＣＱＩ報告値と、前記配置バージョンとを含めたＣＱＩ情報を前記無線通信基地局装置に送信し、
前記無線通信基地局装置が、前記ＣＱＩ情報を受信し、前記ＣＱＩ情報に含まれた前記ＣＱＩ報告値と、前記配置バージョンに対応する配置情報とに基づいて、前記無線通信移動局装置のスケジューリングを行う、
無線通信方法。
【請求項５】
周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を受信する受信手段と、
前記配置情報に基づいて算出されたＣＱＩ報告値と、前記配置バージョンとを含めたＣＱＩ情報を送信する送信手段と、
を有する無線通信移動局装置と、
前記ＣＱＩ情報を前記無線通信移動局装置から受信する受信手段と、
前記ＣＱＩ情報に含まれた前記ＣＱＩ報告値と、前記配置バージョンに対応する配置情報とに基づいて、前記無線通信移動局装置のスケジューリングを行うスケジューリング手段と、
を有する無線通信基地局装置と、
を具備する無線通信システム。
【発明の詳細な説明】
【技術分野】
【０００１】
本発明は、ＯＦＤＭ（Orthogonal Frequency Division Multiplex）システムにおいて、Localized-channelとDistributed-channelとを用いる無線通信基地局装置、無線通信移動局装置、無線通信方法及び無線通信システムに関する。
【背景技術】
【０００２】
近年、ＬＴＥ（Long Term Evolution）において、スケジューリングの違いによるチャネル定義をPhysical layerで行うことが検討されている。このようなチャネル定義の具体例として、ＯＦＤＭシステムをベースとしたLocalized-channel、Distributed-channelといったチャネルが挙げられる。【０００３】
図１にLocalized-channelとDistributed-channelの概念図を周波数方向に関して示す。図１では、Block 1,2,3がDistributed-channelを示し、Block 4,5,6,..,29,30がLocalized-channelを示している。また、ここでは、Localized-channelの１つのブロックに３つのサブキャリアを割り当てる場合を示している。以下、このブロックをＲＲＢ（Radio Resource Block）と呼ぶ。【０００４】
Localized-channelは、周波数、時間軸上にＲＲＢを集中的にユーザに割り当てる方法であり、ユーザにとって受信品質の良好なＲＲＢのみを割り当てることにより、スケジューリングによるスループット向上を行うものである。なお、ＵＥの動作としては、Localized-channelに配置されたＲＲＢ毎（図１では、Block 4,5,6,29,30）に受信電力を測定し、ＲＲＢ毎にＣＱＩを計算、報告し、Ｎｏｄｅ ＢはＲＲＢ番号でスケジューリング結果をＵＥに通知する。【０００５】
一方、Distributed-channelは、周波数、時間軸上にＲＲＢを分散的にユーザに割り当てる方法であり、周波数、時間ダイバーシチを得ることによって安定した品質をユーザに与えるものである。なお、ＵＥの動作としては、全帯域の平均受信電力からＣＱＩを計算、報告し、Ｎｏｄｅ ＢはＲＲＢ番号でスケジューリング結果をＵＥに通知する。【０００６】
このように、ＵＥは最初にＲＲＢ単位でＣＱＩの報告を行い（Localized-channelの場合）、ＲＲＢ単位でスケジューリングが割り当てられるため、ＲＲＢがどのように配置されているか、すなわち、ＲＲＢの配置情報を知ることが必要になる。【０００７】
次に、Localized-channelとDistributed-channelのそれぞれの特性に関して考えてみる。Localized-channelは、高品質な周波数帯、時間をユーザに割り当てるため、高速な通信が期待できる。また、ＲＲＢ毎のＣＱＩの報告を頻繁に行う必要があり、このため、フェージング変動の激しいＵＥに対しては適用できない。これらのことから、ウェブブラウジングなどの大量ダウンロードサービスに適しており、高速に移動しないユーザに用いることが好ましい。【０００８】
一方、Distributed-channelは、それほど高速な通信は期待できないものの、周波数、時間ダイバーシチを得ることができるため、安定した通信が期待できる。また、ＣＱＩの報告頻度はLocalized-channelに比べて低減することができる。このため、それほど高速な伝送ではないが、安定した品質が必要な音声等のサービスに適しており、高速に移動するため、スケジューリングがあまり機能しないユーザに用いることが好ましい。【０００９】
このように、それぞれのチャネルで使用用途が異なってくる。そのため、Localized-channelとDistributed-channelの配置を固定にした場合には、本来Localized-channelに適したユーザにDistributed-channelを割り当てたり、逆に、本来Distributed-channelに適したユーザにLocalized-channelを割り当てたりすることが考えられる。したがって、Localized-channelとDistributed-channelの配置は可変にすることが望ましい。【００１０】
例えば、図２に示すように、同一セル内のＵＥのうち、２０％のＵＥにDistributed-channelを割り当て、残りの８０％のＵＥにLocalized-channelを割り当てる（図２の上図に示す場合）場合と、１０％のＵＥにDistributed-channelを割り当て、残りの９０％のＵＥにLocalized-channelを割り当てる（図２の下図に示す場合）場合とで、Localized-channelとDistributed-channelの配置パターンを変更することが考えられる。
【非特許文献１】Samsung, “Downlink Channelization and Multiplexing for EUTRA”, 3GPP TSG RAN WG1 Ad Hoc on LTE, R1-050604, Sophia Antipolis, France, 20-21 June, 2005
【非特許文献２】3GPP TR25.331, “Radio Resource Control (RRC) Protocol Specification”
【発明の開示】
【発明が解決しようとする課題】
【００１１】
ＲＲＢ配置パターンに関して考えてみると、以下のようなケースが挙げられる。（１）ユーザ間で共通であり、かつ、セル内に一つの配置パターンしかない場合。（２）ユーザ間で共通であるが、セル内に複数の配置パターンがある場合。（３）ユーザ毎に異なる配置パターンがある場合。【００１２】
スケジューリングが、複数のユーザに対してどのようにリソースを割り当てるかを決定するものであるから、ユーザ間でＲＲＢの配置が共通であるとＮｏｄｅ Ｂとしてはスケジューリングを行いやすいといえる。【００１３】
このよう場合を想定すると、ＲＲＢの配置情報は、ユーザ間で共通であるため報知情報（Broadcast情報）によって送るのが有効である。また、Localized-channelとDistributed-channelの配置は変更されることがある。そこで、報知情報によってＲＲＢの配置情報を送り、その内容を途中で変更する際の動作を図３に示す。ここで、Ｎｏｄｅ Ｂは報知情報を定期的に報告しているものとし、ＵＥとしてＵＥ１、ＵＥ２、ＵＥ３が存在し、それぞれのタイミングで報知情報を受信しているものとする（基本的に、報知情報は常に受信するものではなく、タイマ管理等で受信タイミングを自己管理しているため）。【００１４】
図３において、ＳＴ１１では、Ｎｏｄｅ ＢはＲＲＢ配置情報１を報知し、ＳＴ１２では、Ｎｏｄｅ Ｂが配置情報をＲＲＢ配置情報１からＲＲＢ配置情報２に切り替えて送信する。ここで、ＵＥ１は報知情報の受信タイミングではなく、ＵＥ２は報知情報の受信タイミングであるが受信に失敗し、ＵＥ３は受信タイミングであって受信に成功したものとする。この場合、ＵＥ３は新しいＲＲＢ配置情報２を受信しているため、配置情報２に基づいてＣＱＩの報告を行う。【００１５】
一方、ＵＥ１とＵＥ２は、ＲＲＢ配置情報１に基づいてＣＱＩの報告を行う。ここで、Ｎｏｄｅ ＢはＵＥから送られてきたＣＱＩを新しいＲＲＢ配置情報２を用いて判断し、スケジューリングを行う。そのため、ＵＥ３に対しては正しくスケジューリングすることができるが、ＵＥ１とＵＥ２に対しては正しくスケジュールすることができない。【００１６】
具体的に、ＲＲＢ配置情報１及びＲＲＢ配置情報２の一例を示した図４を用いて説明する。ＵＥ１がＲＲＢ配置情報１を用いてBlock 7（sub-carrier: 7-9）の受信品質が良いと報告したと仮定する。この場合、Ｎｏｄｅ Ｂは、新しいＲＲＢ配置情報２におけるBlock 7（Sub-carrier: 16-18）をＵＥ１に割り当て、その結果をスケジューリング情報としてＵＥ１に通知する。この結果、ＵＥ１ではSub-carrier:7-9を待ち受けるが、Ｎｏｄｅ ＢはSub-carrier:16-18を待ち受けるため、通信ができなくなってしまう。【００１７】
本発明の目的は、ＲＲＢ配置情報の変更に伴う通信断を回避する無線通信基地局装置、無線通信移動局装置、無線通信方法及び無線通信システムを提供することである。
【課題を解決するための手段】
【００１８】
本発明の無線通信基地局装置は、周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとを管理する管理手段と、前記配置情報と前記配置バージョンとを含めた報知情報を前記配置情報が変更されるたびに作成する報知情報作成手段と、前記報知情報を送信する送信手段と、を具備する構成を採る。【００１９】
本発明の無線通信移動局装置は、周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を受信する受信手段と、前記配置情報に基づいて、ＣＱＩ報告値を算出するＣＱＩ報告値算出手段と、前記ＣＱＩ報告値と前記配置バージョンとを含めたＣＱＩ情報を作成するＣＱＩ情報作成手段と、前記ＣＱＩ情報を送信する送信手段と、を具備する構成を採る。
【発明の効果】
【００２０】
本発明によれば、ＲＲＢ配置情報の変更に伴う通信断を回避することができる。
【図面の簡単な説明】
【００２１】
【図１】Localized-channelとDistributed-channelの概念図
【図２】Localized-channelとDistributed-channelの配置を可変にした場合の説明に供する図
【図３】ＲＲＢ配置情報の変更方法の説明に供する図
【図４】ＲＲＢ配置情報１及びＲＲＢ配置情報２の一例を示す図
【図５】本発明の実施の形態１に係るＮｏｄｅ Ｂの構成を示すブロック図
【図６】本発明の実施の形態１に係るＵＥの構成を示すブロック図
【図７】図５に示したＮｏｄｅ Ｂと図６に示したＵＥとの通信手順を示すシーケンス図
【図８】報知情報に含まれるＲＲＢ配置情報とＲＲＢ配置バージョンを示す図
【図９】複数のＲＲＢ配置情報を報知情報によって通知する場合の説明に供する図
【図１０】本発明の実施の形態２に係るＮｏｄｅ Ｂの構成を示すブロック図
【図１１】本発明の実施の形態２に係るＵＥの構成を示すブロック図
【図１２】図１０に示したＮｏｄｅ Ｂと図１１に示したＵＥとの通信手順を示すシーケンス図
【図１３】報知情報に含まれる現在のＲＲＢ配置情報、新しいＲＲＢ配置情報及びタイミング情報
【発明を実施するための最良の形態】
【００２２】
以下、本発明の実施の形態について、図面を参照して詳細に説明する。ただし、実施の形態において、同一の機能を有する構成には同一の符号を付し、重複する説明は省略する。【００２３】
（実施の形態１）
図５は、本発明の実施の形態１に係るＮｏｄｅ Ｂ１００の構成を示すブロック図である。この図において、ＲＲＢ配置変更判定部１０１は、Ｎｏｄｅ Ｂ１００の配下のＵＥのうち、Localized-channelを適用するＵＥとDistributed-channelを適用するＵＥとの比率等に基づいて、ＲＲＢの配置を変更するか否かを判定する。ＲＲＢの配置を変更すると判定した場合に、その旨を示す判定結果をＲＲＢ配置バージョン管理部１０２及びＲＲＢ配置変更部１０３に通知する。ＲＲＢ配置変更判定部１０１は、ＲＲＢの配置を変更すると判定した場合には、例えば、Localized-channelを適用するＵＥとDistributed-channelを適用するＵＥとの変更後の比率などを判定結果と合わせて通知する。また、ＲＲＢの配置を変更しないと判定した場合、ＲＲＢ配置バージョン管理部１０２及びＲＲＢ配置変更部１０３への通知は行われない。【００２４】
ＲＲＢ配置バージョン管理部１０２は、配置情報のインデックスとしてＲＲＢ配置バージョンを管理する。具体的には、ＲＲＢ配置変更判定部１０１からＲＲＢの配置を変更するとの判定結果を取得し、現在管理しているＲＲＢ配置バージョンをインクリメントする。そして、インクリメントしたＲＲＢ配置バージョンを現在管理するＲＲＢ配置バージョンとすると共に、ＲＲＢ配置情報保持部１０６に出力する。【００２５】
ＲＲＢ配置変更部１０３は、ＲＲＢ配置変更判定部１０１からＲＲＢの配置を変更するとの判定結果を取得し、この判定結果と共にLocalized-channelを適用するＵＥとDistributed-channelを適用するＵＥとの変更後の比率などを取得し、取得した変更後の比率に基づいて、新しいＲＲＢの具体的な配置を変更する。変更した新しいＲＲＢ配置情報はＲＲＢ配置情報保持部１０６に出力される。なお、ＲＲＢの具体的な配置とは、例えば、Block 1はLocalized-channelでSub-carrier:1-3を割り当てるなど、ブロック毎に割り当てるチャネルとサブキャリアを指定する。【００２６】
ＣＱＩ情報受信部１０４は、後述するＵＥからこのＵＥが使用しているＲＲＢ配置バージョンとＣＱＩ報告値とを含むＣＱＩ情報を受信し、受信したＣＱＩ情報のうち、ＲＲＢ配置バージョンをＲＲＢ配置バージョン検出部１０５に出力すると共に、ＲＲＢ配置バージョン及びＣＱＩ報告値をスケジューリング決定部１０９に出力する。【００２７】
ＲＲＢ配置バージョン検出部１０５は、ＣＱＩ情報受信部１０４から出力されたＲＲＢ配置バージョンを検出し、検出したＲＲＢ配置バージョンをＲＲＢ配置情報保持部１０６に出力する。【００２８】
ＲＲＢ配置情報保持部１０６は、ＲＲＢ配置変更部１０３から出力されたＲＲＢ配置情報とＲＲＢ配置バージョン管理部１０２から出力されたＲＲＢ配置バージョンとを対応付けて保持し、報知情報の定期的な変更周期に合わせ、保持している最新のＲＲＢ配置情報とＲＲＢ配置バージョンとを報知情報作成部１０７に出力する。また、ＲＲＢ配置バージョン検出部１０５から出力されたＲＲＢ配置バージョンに対応するＲＲＢ配置情報をスケジューリング決定部１０９に出力する。【００２９】
報知情報作成部１０７は、ＲＲＢ配置情報保持部１０６から出力されたＲＲＢ配置情報とＲＲＢ配置バージョンとを含めた報知情報を作成し、作成した報知情報を報知情報送信部１０８に出力する。報知情報送信部１０８は、報知情報作成部１０７から出力された報知情報を後述するＵＥに送信する。【００３０】
スケジューリング決定部１０９は、ＣＱＩ情報受信部１０４から出力されたＲＲＢ配置バージョン及びＣＱＩ報告値と、ＲＲＢ配置情報保持部１０６から出力されたＲＲＢ配置情報とに基づいて、ＣＱＩ情報の送信元のＵＥのスケジューリングを行い、スケジューリング情報をスケジューリング情報送信部１１０に出力する。【００３１】
スケジューリング動作としては、実際には複数のＵＥの中から最適なＵＥを選択することになるが、ここでは簡単のため、１ＵＥの場合について示すものとする。このスケジューリングの動作としては、単純に受信品質の良いＵＥを選択することも考えられるし、ＵＥのＱｏＳを考慮したスケジューリングを行うことも考えられるが、どのようなスケジューリング方法を用いてもかまわない。【００３２】
スケジューリング情報送信部１１０は、スケジューリング決定部１０９から出力されたスケジューリング情報をＣＱＩ情報の送信元であるＵＥに送信する。【００３３】
図６は、本発明の実施の形態１に係るＵＥ２００の構成を示すブロック図である。この図において、報知情報受信部２０１は、図５に示したＮｏｄｅ Ｂ１００から送信された報知情報を受信し、受信した報知情報に含まれるＲＲＢ配置情報をＲＲＢ配置情報保持部２０３に出力すると共に、同じく受信した報知情報に含まれるＲＲＢ配置バージョンをＲＲＢ配置バージョン管理部２０２に出力する。【００３４】
ＲＲＢ配置バージョン管理部２０２は、報知情報受信部２０１から出力されたＲＲＢ配置バージョンを管理し、管理しているＲＲＢ配置バージョンをＣＱＩ情報作成部２０６に出力する。【００３５】
ＲＲＢ配置情報保持部２０３は、報知情報受信部２０１から出力されたＲＲＢ配置情報を保持し、保持したＲＲＢ配置情報をＣＱＩ報告値算出部２０５及びデータ割当ＲＲＢ判定部２０９に出力する。【００３６】
受信品質測定部２０４は、図５に示したＮｏｄｅ Ｂ１００から送信された各サブキャリアの受信品質を測定し、測定した受信品質をＣＱＩ報告値算出部２０５に出力する。なお、受信品質の測定は、各サブキャリアに含まれているパイロット信号を用いて行うことなどが考えられるが、特にこれに限定されるものではない。【００３７】
ＣＱＩ報告値算出部２０５は、ＲＲＢ配置情報保持部２０３から出力されたＲＲＢ配置情報に基づいて、受信品質測定部２０４から出力されたサブキャリア毎の受信品質をＲＲＢ毎の受信品質に変換し、ＲＲＢ毎の受信品質からＲＲＢ毎のＣＱＩ報告値を算出する。算出されたＣＱＩ報告値はＣＱＩ情報作成部２０６に出力される。なお、Distributed-channelを用いる場合には、ＲＲＢ毎ではなく全帯域の平均値が用いられることも考えられるので、全帯域に対するＣＱＩ報告値を算出することになる。ただし、ＣＱＩ報告値の算出方法はどのような方法でもよい。【００３８】
なお、ここでは、ＲＲＢ配置情報はＲＲＢ配置情報保持部２０３からＣＱＩ報告値算出部２０５に出力されているが、受信品質測定部２０４に出力し、受信品質測定部２０４が受信品質を測定する際に、ＲＲＢ配置情報に基づいて受信品質を測定するようにしてもよい。【００３９】
ＣＱＩ情報作成部２０６は、ＲＲＢ配置バージョン管理部２０２から出力されたＲＲＢ配置バージョンとＣＱＩ報告値算出部２０５から出力されたＣＱＩ報告値とを含めたＣＱＩ情報を作成し、作成したＣＱＩ情報をＣＱＩ送信部２０７に出力する。ＣＱＩ情報のフォーマットとしては、例えば、「Block 1: CQI 3, Block 2: CQI 1...」などのようにブロック毎にＣＱＩ報告値を含め、これと共にＲＲＢ配置バージョンを格納するものが考えられる。ＣＱＩ送信部２０７は、ＣＱＩ情報作成部２０６から出力されたＣＱＩ情報を図５に示したＮｏｄｅ Ｂ１００に送信する。【００４０】
スケジューリング情報受信部２０８は、図５に示したＮｏｄｅ Ｂ１００から送信されたスケジューリング情報を受信し、受信したスケジューリング情報に基づいて、自局宛のデータがスケジューリングされているか否かを判定する。自局宛のデータがスケジューリングされている場合には、自局宛のデータが割り当てられたブロックをデータ割当ＲＲＢ判定部２０９に出力する。【００４１】
データ割当ＲＲＢ判定部２０９は、ＲＲＢ配置情報保持部２０３から出力されたＲＲＢ配置情報に基づいて、スケジューリング情報受信部２０８から出力されたブロックがいずれのサブキャリアに相当するか判定する。すなわち、自局宛のデータがいずれのサブキャリアによって送信されたかを判定する。判定されたサブキャリア情報はデータ受信部２１０に出力される。【００４２】
データ受信部２１０は、データ割当ＲＲＢ判定部２０９から出力されたサブキャリア情報に従って、このサブキャリアによって送信された自局宛のデータを受信する。【００４３】
次に、図５に示したＮｏｄｅ Ｂ１００と図６に示したＵＥ２００との通信手順について図７を用いて説明する。図７において、ステップ（以下、「ＳＴ」と省略する）３０１では、Ｎｏｄｅ Ｂ１００がＲＲＢ配置情報と共にＲＲＢ配置バージョン（Value tag）を含めた報知情報をＵＥ２００に送信する。報知情報には、図８に示すように、Value tagとブロック毎に割り当てられたサブキャリアの情報が含まれる。ここでは、ＲＲＢ配置バージョンをValue tag=3とする。【００４４】
ＳＴ３０２では、ＵＥ２００がＮｏｄｅ Ｂ１００から報知情報を受信し、受信した報知情報に含まれるＲＲＢ配置情報とＲＲＢ配置バージョンとを保持する。【００４５】
ＳＴ３０３では、ＳＴ３０２において保持したＲＲＢ配置情報を用いてＣＱＩ報告値を算出し、算出したＣＱＩ報告値とＳＴ３０２において保持したＲＲＢ配置バージョン（Value tag=3）とを含めたＣＱＩ情報を作成する。ＳＴ３０４では、ＵＥ２００がＣＱＩ情報をＮｏｄｅ Ｂ１００に送信する。【００４６】
ＳＴ３０５では、Ｎｏｄｅ Ｂ１００がＵＥ２００からＣＱＩ情報を受信し、受信したＣＱＩ情報に含まれるＲＲＢ配置バージョンからＵＥ２００が使用しているＲＲＢ配置情報を判定し、判定したＲＲＢ配置情報に基づいてスケジューリングを行う。ＳＴ３０６では、Ｎｏｄｅ Ｂ１００がスケジューリング情報をＵＥ２００に送信する。【００４７】
ただし、ＵＥ２００が新しい報知情報を受信できていない場合には、古いＲＲＢ配置バージョン（例えばValue tag=2）を含めたＣＱＩ情報がＮｏｄｅ Ｂ１００に送られる。この場合には、Ｎｏｄｅ Ｂ１００は古いＲＲＢ配置（例えばValue tag=2で示される配置）を用いてスケジューリングを行うことが可能である。【００４８】
なお、ここではスケジューリング情報にＲＲＢ配置を示す情報を含めない場合に関して示したが、ＵＥ２００に対して明示的に使用しているＲＲＢ配置を伝える、またはＵＥ２００がＣＱＩ情報で示したＲＲＢ配置と異なるＲＲＢ配置を用いた、などに対応するために、スケジューリング情報にＲＲＢ配置バージョン含めることも可能である。この場合には、データ割当ＲＲＢ判定部２０９がＮｏｄｅ Ｂ１００が指定したＲＲＢ配置バージョンからＲＲＢ配置を得ることが必要である。【００４９】
また、ここでは報知情報について一つのＲＲＢ配置情報（パターン）のみを示したが、報知情報について複数のパターンが示されるようなことも考えられる。例えば、図９に示すように複数のパターン（Pattern1〜5）を報知情報で通知し、実際にＵＥ２００にチャネルを割り当てる時にＮｏｄｅ Ｂ１００が使用するパターンを選択する、またはＵＥ２００が使用するパターンを自由に選択するなどの方法も考えられる。このような場合、ＣＱＩ情報を用いてどのパターンを使用しているかを通知することによって、Ｎｏｄｅ Ｂ１００はＵＥ２００の使用しているパターンを確認することが可能となる。【００５０】
また、ここではＲＲＢ配置を示す情報としてValue Tagというバージョンを示す情報を用いたが、バージョンではなく配置情報を直接示せるような情報を用いてもよい。【００５１】
また、ＲＲＢ配置情報はセル毎の情報と考えられるため、ハンドオーバを行った後には新たにＲＲＢ配置情報を読み直す必要がある。そのため、隣接セルのＲＲＢ配置情報も報知情報で送信するなどの手段や、ハンドオーバを指示するメッセージの中に隣接セルのＲＲＢ配置情報を含めることで、ＲＲＢ配置情報を読み直す必要を無くすことが考えられる。また、ハンドオーバを行う前には、ＵＥ２００からＮｏｄｅ Ｂ１００に対して他セルに対する受信品質情報が送信されると考えられる。この際に、他セルのＲＲＢ配置情報を保持しているか、または保持しているバージョンを通知することで、ＵＥの他セルに対するＲＲＢ配置情報を通知することなども考えられる。【００５２】
このように実施の形態１によれば、ＲＲＢ配置情報と共に、ＲＲＢ配置情報のインデックスとしてのＲＲＢ配置バージョンが含まれた報知情報を受信したＵＥが、報知情報に含まれたＲＲＢ配置情報に基づいて算出したＣＱＩ報告値とＲＲＢ配置バージョンとを含めたＣＱＩ情報をＮｏｄｅ Ｂに送信することにより、ＵＥが使用しているＲＲＢ配置情報をＮｏｄｅ Ｂにおいて認識し、Ｎｏｄｅ ＢはＵＥが使用しているＲＲＢ配置情報に基づいてスケジューリングすることができるので、ＲＲＢ配置情報が変更された場合でも通信断を回避することができる。【００５３】
（実施の形態２）
図１０は、本発明の実施の形態２に係るＮｏｄｅ Ｂの構成を示すブロック図である。図１０が図５と異なる点は、ＲＲＢ配置バージョン検出部１０５を削除した点と、ＲＲＢ配置バージョン管理部１０２をＲＲＢ配置変更タイミング決定部３０１に変更し、ＲＲＢ配置変更部１０３をＲＲＢ配置変更部３０２に変更し、ＲＲＢ配置情報保持部１０６をＲＲＢ配置情報保持部３０３に変更し、報知情報作成部１０７を報知情報作成部３０４に変更した点である。【００５４】
図１０において、ＲＲＢ配置変更タイミング決定部３０１は、ＲＲＢ配置変更判定部１０１からＲＲＢの配置を変更するとの判定結果を取得し、ＲＲＢ配置情報を変更するタイミングを決定する。決定されたタイミング情報はＲＲＢ配置情報保持部３０３及び報知情報作成部３０４に出力される。なお、タイミング情報は、ＵＭＴＳ（Universal Mobile Telecommunications System）に存在するＳＦＮ（Super Frame Number）のフレーム番号等を用いることが考えられる。【００５５】
ＲＲＢ配置変更部３０２は、ＲＲＢ配置変更判定部１０１からＲＲＢの配置を変更するとの判定結果を取得し、この判定結果と共にLocalized-channelを適用するＵＥとDistributed-channelを適用するＵＥとの変更後の比率などを取得し、取得した変更後の比率に基づいて、新しいＲＲＢの具体的な配置を変更する。変更した新しいＲＲＢ配置情報はＲＲＢ配置情報保持部３０３及び報知情報作成部３０４に出力される。【００５６】
ＲＲＢ配置情報保持部３０３は、現在使用しているＲＲＢ配置情報を保持し、現在保持しているＲＲＢ配置情報にＲＲＢ配置変更部３０２から出力されたＲＲＢ配置情報をＲＲＢ配置変更タイミング決定部３０１から出力されたタイミングで上書きする。上書きされたＲＲＢ配置情報は報知情報作成部３０４に出力される。【００５７】
報知情報作成部３０４は、ＲＲＢ配置情報保持部３０３から出力された現在のＲＲＢ配置情報を含めた報知情報を作成する。また、ＲＲＢ配置変更タイミング決定部３０１からタイミング情報と、ＲＲＢ配置変更部３０２から新たなＲＲＢ配置情報とが出力された場合、現在のＲＲＢ配置情報に加え、これらの情報を含めた報知情報を作成する。作成された報知情報は報知情報送信部１０８に出力される。【００５８】
図１１は、本発明の実施の形態２に係るＵＥ４００の構成を示すブロック図である。図１１が図６と異なる点は、報知情報受信部２０１を報知情報受信部４０１に変更し、ＲＲＢ配置バージョン管理部２０２を切替タイミング監視部４０２に変更し、ＲＲＢ配置情報保持部２０３をＲＲＢ配置情報保持部４０３に変更し、ＣＱＩ情報作成部２０６をＣＱＩ情報作成部４０４に変更した点である。【００５９】
報知情報受信部４０１は、図１０に示したＮｏｄｅ Ｂ３００から送信された報知情報を受信し、受信した報知情報に含まれるＲＲＢ配置情報をＲＲＢ配置情報保持部４０３に出力する。報知情報に新しいＲＲＢ配置情報及びタイミング情報が含まれている場合には、新しいＲＲＢ配置情報もＲＲＢ配置情報保持部４０３に出力し、タイミング情報を切替タイミング監視部４０２に出力する。【００６０】
切替タイミング監視部４０２は、報知情報受信部４０１から出力されたタイミング情報に基づいて、ＲＲＢ配置情報の切り替えタイミングをカウントし、切り替えタイミングでＲＲＢ配置情報の切り替え指示をＲＲＢ配置情報保持部４０３に出力する。【００６１】
ＲＲＢ配置情報保持部４０３は、報知情報受信部４０１から出力されたＲＲＢ配置情報を保持する。また、報知情報受信部４０１から新しいＲＲＢ配置情報が出力された場合には、切替タイミング監視部４０２から出力された切り替え指示に従って、使用するＲＲＢ配置情報を新しいＲＲＢ配置情報に変更する。ＲＲＢ配置情報保持部４０３は、現在使用するＲＲＢ配置情報をＣＱＩ報告値算出部２０５及びデータ割当ＲＲＢ判定部２０９に出力する。【００６２】
ＣＱＩ情報作成部４０４は、ＣＱＩ報告値算出部２０５から出力されたＣＱＩ報告値を含めたＣＱＩ情報を作成し、作成したＣＱＩ情報をＣＱＩ送信部２０７に出力する。【００６３】
次に、図１０に示したＮｏｄｅ Ｂ３００と図１１に示したＵＥ４００との通信手順について図１２を用いて説明する。図１２において、ＳＴ５０１では、Ｎｏｄｅ Ｂ３００がＲＲＢ配置情報を含めた報知情報をＵＥ４００に送信する。報知情報には、図１３に示すように、現在のＲＲＢ配置情報６０１、新しいＲＲＢ配置情報６０２及びタイミング情報（Activation time=SFN50）が含まれる。【００６４】
ＳＴ５０２では、ＵＥ４００がＮｏｄｅ Ｂ３００から報知情報を受信し、受信した報知情報に含まれる現在のＲＲＢ配置情報、新しいＲＲＢ配置情報及びタイミング情報を保持する。【００６５】
ＳＴ５０３では、タイミング情報（Activation time）の示す時刻になったため、Ｎｏｄｅ Ｂ３００が現在のＲＲＢ配置情報を新しいＲＲＢ配置情報に変更し、ＳＴ５０４では、ＵＥにおいても同様に現在のＲＲＢ配置情報を新しいＲＲＢ配置情報に変更する。なお、ＳＴ５０３及びＳＴ５０４は、タイミング情報の示す時刻で同時に行われるものである。【００６６】
ＳＴ５０５では、ＳＴ５０４において変更したＲＲＢ配置情報を用いてＣＱＩ報告値を算出し、算出したＣＱＩ報告値を含めたＣＱＩ情報を作成し、ＳＴ５０６では、ＵＥ４００がＣＱＩ情報をＮｏｄｅ Ｂ３００に送信する。【００６７】
ＳＴ５０７では、Ｎｏｄｅ Ｂ３００がＵＥ４００からＣＱＩ情報を受信し、受信したＣＱＩ情報に含まれるＣＱＩ報告値に基づいてスケジューリングを行い、ＳＴ５０８では、Ｎｏｄｅ Ｂ３００がスケジューリング情報をＵＥ４００に送信する。【００６８】
このように実施の形態２によれば、現在のＲＲＢ配置情報、新しいＲＲＢ配置情報及びこれら２つのＲＲＢ配置情報を切り替えるタイミング情報が含まれた報知情報を受信したＵＥが、タイミング情報に基づいて、現在のＲＲＢ配置情報を新しいＲＲＢ配置情報に変更し、Ｎｏｄｅ ＢにおいてもＵＥと同じタイミングで現在のＲＲＢ配置情報を新しいＲＲＢ配置情報に変更することにより、Ｎｏｄｅ ＢはＵＥが使用しているＲＲＢ配置情報に基づいてスケジューリングすることができるので、ＲＲＢ配置情報が変更された場合でも通信断を回避することができる。【００６９】
以上、本発明の実施の形態について説明した。【００７０】
上記各実施の形態では、本発明をハードウェアで構成する場合を例にとって説明したが、本発明はソフトウェアで実現することも可能である。【００７１】
また、実施の形態１と実施の形態２とを組み合わせて実現することも可能である。【００７２】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００７３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００７４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００７５】
本明細書は、２００５年１１月４日出願の特願２００５−３２１４４８に基づくものである。この内容は全てここに含めておく。
【産業上の利用可能性】
【００７６】
本発明にかかる無線通信基地局装置、無線通信移動局装置、無線通信方法及び無線通信システムは、ＲＲＢ配置情報の変更に伴う通信断を回避することができ、移動体通信システム等に適用できる。
【図１】
2007052769.tif 000003
【図２】
2007052769.tif 000004
【図３】
2007052769.tif 000005
【図４】
2007052769.tif 000006
【図５】
2007052769.tif 000007
【図６】
2007052769.tif 000008
【図７】
2007052769.tif 000009
【図８】
2007052769.tif 000010
【図９】
2007052769.tif 000011
【図１０】
2007052769.tif 000012
【図１１】
2007052769.tif 000013
【図１２】
2007052769.tif 000014
【図１３】
2007052769.tif 000015
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとを管理する管理手段と、
前記配置情報と前記配置バージョンとを含めた報知情報を前記配置情報が変更されるたびに作成する報知情報作成手段と、
前記報知情報を送信する送信手段と、
を具備する無線通信基地局装置。
【請求項２】
前記配置情報に基づいて算出されたＣＱＩ報告値と、前記配置バージョンとが含まれたＣＱＩ情報を通信相手である無線通信移動局装置から受信するＣＱＩ受信手段と、
前記ＣＱＩ情報に含まれた前記配置バージョンに対応する配置情報を前記管理手段から取得し、取得した前記配置情報及び前記ＣＱＩ報告値に基づいて、前記無線通信移動局装置のスケジューリングを行うスケジューリング手段と、
を具備する請求項１に記載の無線通信基地局装置。
【請求項３】
周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を受信する受信手段と、
前記配置情報に基づいて、ＣＱＩ報告値を算出するＣＱＩ報告値算出手段と、
前記ＣＱＩ報告値と前記配置バージョンとを含めたＣＱＩ情報を作成するＣＱＩ情報作成手段と、
前記ＣＱＩ情報を送信する送信手段と、
を具備する無線通信移動局装置。
【請求項４】
無線通信移動局装置が、周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を無線通信基地局装置から受信し、前記配置情報に基づいて算出されたＣＱＩ報告値と、前記配置バージョンとを含めたＣＱＩ情報を前記無線通信基地局装置に送信し、
前記無線通信基地局装置が、前記ＣＱＩ情報を受信し、前記ＣＱＩ情報に含まれた前記ＣＱＩ報告値と、前記配置バージョンに対応する配置情報とに基づいて、前記無線通信移動局装置のスケジューリングを行う、
無線通信方法。
【請求項５】
周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を受信する受信手段と、
前記配置情報に基づいて算出されたＣＱＩ報告値と、前記配置バージョンとを含めたＣＱＩ情報を送信する送信手段と、
を有する無線通信移動局装置と、
前記ＣＱＩ情報を前記無線通信移動局装置から受信する受信手段と、
前記ＣＱＩ情報に含まれた前記ＣＱＩ報告値と、前記配置バージョンに対応する配置情報とに基づいて、前記無線通信移動局装置のスケジューリングを行うスケジューリング手段と、
を有する無線通信基地局装置と、
を具備する無線通信システム。
【手続補正２】
【補正対象書類名】明細書
【補正対象項目名】全文
【補正方法】変更
【補正の内容】
【発明の詳細な説明】
【技術分野】
【０００１】
本発明は、ＯＦＤＭ（Orthogonal Frequency Division Multiplex）システムにおいて、Localized-channelとDistributed-channelとを用いる無線通信基地局装置、無線通信移動局装置、無線通信方法及び無線通信システムに関する。
【背景技術】
【０００２】
近年、ＬＴＥ（Long Term Evolution）において、スケジューリングの違いによるチャネル定義をPhysical layerで行うことが検討されている。このようなチャネル定義の具体例として、ＯＦＤＭシステムをベースとしたLocalized-channel、Distributed-channelといったチャネルが挙げられる。
【０００３】
図１にLocalized-channelとDistributed-channelの概念図を周波数方向に関して示す。図１では、Block 1,2,3がDistributed-channelを示し、Block 4,5,6,..,29,30がLocalized-channelを示している。また、ここでは、Localized-channelの１つのブロックに３つのサブキャリアを割り当てる場合を示している。以下、このブロックをＲＲＢ（Radio Resource Block）と呼ぶ。
【０００４】
Localized-channelは、周波数、時間軸上にＲＲＢを集中的にユーザに割り当てる方法であり、ユーザにとって受信品質の良好なＲＲＢのみを割り当てることにより、スケジューリングによるスループット向上を行うものである。なお、ＵＥの動作としては、Localized-channelに配置されたＲＲＢ毎（図１では、Block 4,5,6,29,30）に受信電力を測定し、ＲＲＢ毎にＣＱＩを計算、報告し、Ｎｏｄｅ ＢはＲＲＢ番号でスケジューリング結果をＵＥに通知する。
【０００５】
一方、Distributed-channelは、周波数、時間軸上にＲＲＢを分散的にユーザに割り当てる方法であり、周波数、時間ダイバーシチを得ることによって安定した品質をユーザに与えるものである。なお、ＵＥの動作としては、全帯域の平均受信電力からＣＱＩを計算、報告し、Ｎｏｄｅ ＢはＲＲＢ番号でスケジューリング結果をＵＥに通知する。
【０００６】
このように、ＵＥは最初にＲＲＢ単位でＣＱＩの報告を行い（Localized-channelの場合）、ＲＲＢ単位でスケジューリングが割り当てられるため、ＲＲＢがどのように配置されているか、すなわち、ＲＲＢの配置情報を知ることが必要になる。
【０００７】
次に、Localized-channelとDistributed-channelのそれぞれの特性に関して考えてみる。Localized-channelは、高品質な周波数帯、時間をユーザに割り当てるため、高速な通信が期待できる。また、ＲＲＢ毎のＣＱＩの報告を頻繁に行う必要があり、このため、フェージング変動の激しいＵＥに対しては適用できない。これらのことから、ウェブブラウジングなどの大量ダウンロードサービスに適しており、高速に移動しないユーザに用いることが好ましい。
【０００８】
一方、Distributed-channelは、それほど高速な通信は期待できないものの、周波数、時間ダイバーシチを得ることができるため、安定した通信が期待できる。また、ＣＱＩの報告頻度はLocalized-channelに比べて低減することができる。このため、それほど高速な伝送ではないが、安定した品質が必要な音声等のサービスに適しており、高速に移動するため、スケジューリングがあまり機能しないユーザに用いることが好ましい。
【０００９】
このように、それぞれのチャネルで使用用途が異なってくる。そのため、Localized-channelとDistributed-channelの配置を固定にした場合には、本来Localized-channelに適したユーザにDistributed-channelを割り当てたり、逆に、本来Distributed-channelに適したユーザにLocalized-channelを割り当てたりすることが考えられる。したがって、Localized-channelとDistributed-channelの配置は可変にすることが望ましい。
【００１０】
例えば、図２に示すように、同一セル内のＵＥのうち、２０％のＵＥにDistributed-channelを割り当て、残りの８０％のＵＥにLocalized-channelを割り当てる（図２の上図に示す場合）場合と、１０％のＵＥにDistributed-channelを割り当て、残りの９０％のＵＥにLocalized-channelを割り当てる（図２の下図に示す場合）場合とで、Localized-channelとDistributed-channelの配置パターンを変更することが考えられる。
【非特許文献１】Samsung, “Downlink Channelization and Multiplexing for EUTRA”, 3GPP TSG RAN WG1 Ad Hoc on LTE, R1-050604, Sophia Antipolis, France, 20-21 June, 2005
【非特許文献２】3GPP TR25.331, “Radio Resource Control (RRC) Protocol Specification”
【発明の開示】
【発明が解決しようとする課題】
【００１１】
ＲＲＢ配置パターンに関して考えてみると、以下のようなケースが挙げられる。
（１）ユーザ間で共通であり、かつ、セル内に一つの配置パターンしかない場合。
（２）ユーザ間で共通であるが、セル内に複数の配置パターンがある場合。
（３）ユーザ毎に異なる配置パターンがある場合。
【００１２】
スケジューリングが、複数のユーザに対してどのようにリソースを割り当てるかを決定するものであるから、ユーザ間でＲＲＢの配置が共通であるとＮｏｄｅ Ｂとしてはスケジューリングを行いやすいといえる。
【００１３】
このよう場合を想定すると、ＲＲＢの配置情報は、ユーザ間で共通であるため報知情報（Broadcast情報）によって送るのが有効である。また、Localized-channelとDistributed-channelの配置は変更されることがある。そこで、報知情報によってＲＲＢの配置情報を送り、その内容を途中で変更する際の動作を図３に示す。ここで、Ｎｏｄｅ Ｂは報知情報を定期的に報告しているものとし、ＵＥとしてＵＥ１、ＵＥ２、ＵＥ３が存在し、それぞれのタイミングで報知情報を受信しているものとする（基本的に、報知情報は常に受信するものではなく、タイマ管理等で受信タイミングを自己管理しているため）。
【００１４】
図３において、ＳＴ１１では、Ｎｏｄｅ ＢはＲＲＢ配置情報１を報知し、ＳＴ１２では、Ｎｏｄｅ Ｂが配置情報をＲＲＢ配置情報１からＲＲＢ配置情報２に切り替えて送信する。ここで、ＵＥ１は報知情報の受信タイミングではなく、ＵＥ２は報知情報の受信タイミングであるが受信に失敗し、ＵＥ３は受信タイミングであって受信に成功したものとする。この場合、ＵＥ３は新しいＲＲＢ配置情報２を受信しているため、配置情報２に基づいてＣＱＩの報告を行う。
【００１５】
一方、ＵＥ１とＵＥ２は、ＲＲＢ配置情報１に基づいてＣＱＩの報告を行う。ここで、Ｎｏｄｅ ＢはＵＥから送られてきたＣＱＩを新しいＲＲＢ配置情報２を用いて判断し、スケジューリングを行う。そのため、ＵＥ３に対しては正しくスケジューリングすることができるが、ＵＥ１とＵＥ２に対しては正しくスケジュールすることができない。
【００１６】
具体的に、ＲＲＢ配置情報１及びＲＲＢ配置情報２の一例を示した図４を用いて説明する。ＵＥ１がＲＲＢ配置情報１を用いてBlock 7（sub-carrier: 7-9）の受信品質が良い
と報告したと仮定する。この場合、Ｎｏｄｅ Ｂは、新しいＲＲＢ配置情報２におけるBlock 7（Sub-carrier: 16-18）をＵＥ１に割り当て、その結果をスケジューリング情報としてＵＥ１に通知する。この結果、ＵＥ１ではSub-carrier:7-9を待ち受けるが、Ｎｏｄｅ ＢはSub-carrier:16-18を待ち受けるため、通信ができなくなってしまう。
【００１７】
本発明の目的は、ＲＲＢ配置情報の変更に伴う通信断を回避する無線通信基地局装置、無線通信移動局装置、無線通信方法及び無線通信システムを提供することである。
【課題を解決するための手段】
【００１８】
本発明の無線通信基地局装置は、周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとを管理する管理手段と、前記配置情報と前記配置バージョンとを含めた報知情報を前記配置情報が変更されるたびに作成する報知情報作成手段と、前記報知情報を送信する送信手段と、を具備する構成を採る。
【００１９】
本発明の無線通信移動局装置は、周波数及び時間が分散的に割り当てられるディストリビューティッドチャネルと周波数及び時間が集中的に割り当てられるローカライズドチャネルとの配置を示す配置情報と、前記配置情報のインデックスとしての配置バージョンとが含められた報知情報を受信する受信手段と、前記配置情報に基づいて、ＣＱＩ報告値を算出するＣＱＩ報告値算出手段と、前記ＣＱＩ報告値と前記配置バージョンとを含めたＣＱＩ情報を作成するＣＱＩ情報作成手段と、前記ＣＱＩ情報を送信する送信手段と、を具備する構成を採る。
【発明の効果】
【００２０】
本発明によれば、ＲＲＢ配置情報の変更に伴う通信断を回避することができる。
【発明を実施するための最良の形態】
【００２１】
以下、本発明の実施の形態について、図面を参照して詳細に説明する。ただし、実施の形態において、同一の機能を有する構成には同一の符号を付し、重複する説明は省略する。
【００２２】
（実施の形態１）
図５は、本発明の実施の形態１に係るＮｏｄｅ Ｂ１００の構成を示すブロック図である。この図において、ＲＲＢ配置変更判定部１０１は、Ｎｏｄｅ Ｂ１００の配下のＵＥのうち、Localized-channelを適用するＵＥとDistributed-channelを適用するＵＥとの比率等に基づいて、ＲＲＢの配置を変更するか否かを判定する。ＲＲＢの配置を変更すると判定した場合に、その旨を示す判定結果をＲＲＢ配置バージョン管理部１０２及びＲＲＢ配置変更部１０３に通知する。ＲＲＢ配置変更判定部１０１は、ＲＲＢの配置を変更すると判定した場合には、例えば、Localized-channelを適用するＵＥとDistributed-channelを適用するＵＥとの変更後の比率などを判定結果と合わせて通知する。また、ＲＲＢの配置を変更しないと判定した場合、ＲＲＢ配置バージョン管理部１０２及びＲＲＢ配置変更部１０３への通知は行われない。
【００２３】
ＲＲＢ配置バージョン管理部１０２は、配置情報のインデックスとしてＲＲＢ配置バージョンを管理する。具体的には、ＲＲＢ配置変更判定部１０１からＲＲＢの配置を変更するとの判定結果を取得し、現在管理しているＲＲＢ配置バージョンをインクリメントする。そして、インクリメントしたＲＲＢ配置バージョンを現在管理するＲＲＢ配置バージョンとすると共に、ＲＲＢ配置情報保持部１０６に出力する。
【００２４】
ＲＲＢ配置変更部１０３は、ＲＲＢ配置変更判定部１０１からＲＲＢの配置を変更するとの判定結果を取得し、この判定結果と共にLocalized-channelを適用するＵＥとDistributed-channelを適用するＵＥとの変更後の比率などを取得し、取得した変更後の比率に基づいて、新しいＲＲＢの具体的な配置を変更する。変更した新しいＲＲＢ配置情報はＲＲＢ配置情報保持部１０６に出力される。なお、ＲＲＢの具体的な配置とは、例えば、Block 1はLocalized-channelでSub-carrier:1-3を割り当てるなど、ブロック毎に割り当てるチャネルとサブキャリアを指定する。
【００２５】
ＣＱＩ情報受信部１０４は、後述するＵＥからこのＵＥが使用しているＲＲＢ配置バージョンとＣＱＩ報告値とを含むＣＱＩ情報を受信し、受信したＣＱＩ情報のうち、ＲＲＢ配置バージョンをＲＲＢ配置バージョン検出部１０５に出力すると共に、ＲＲＢ配置バージョン及びＣＱＩ報告値をスケジューリング決定部１０９に出力する。
【００２６】
ＲＲＢ配置バージョン検出部１０５は、ＣＱＩ情報受信部１０４から出力されたＲＲＢ配置バージョンを検出し、検出したＲＲＢ配置バージョンをＲＲＢ配置情報保持部１０６に出力する。
【００２７】
ＲＲＢ配置情報保持部１０６は、ＲＲＢ配置変更部１０３から出力されたＲＲＢ配置情報とＲＲＢ配置バージョン管理部１０２から出力されたＲＲＢ配置バージョンとを対応付けて保持し、報知情報の定期的な変更周期に合わせ、保持している最新のＲＲＢ配置情報とＲＲＢ配置バージョンとを報知情報作成部１０７に出力する。また、ＲＲＢ配置バージョン検出部１０５から出力されたＲＲＢ配置バージョンに対応するＲＲＢ配置情報をスケジューリング決定部１０９に出力する。
【００２８】
報知情報作成部１０７は、ＲＲＢ配置情報保持部１０６から出力されたＲＲＢ配置情報とＲＲＢ配置バージョンとを含めた報知情報を作成し、作成した報知情報を報知情報送信部１０８に出力する。報知情報送信部１０８は、報知情報作成部１０７から出力された報知情報を後述するＵＥに送信する。
【００２９】
スケジューリング決定部１０９は、ＣＱＩ情報受信部１０４から出力されたＲＲＢ配置バージョン及びＣＱＩ報告値と、ＲＲＢ配置情報保持部１０６から出力されたＲＲＢ配置情報とに基づいて、ＣＱＩ情報の送信元のＵＥのスケジューリングを行い、スケジューリ
ング情報をスケジューリング情報送信部１１０に出力する。
【００３０】
スケジューリング動作としては、実際には複数のＵＥの中から最適なＵＥを選択することになるが、ここでは簡単のため、１ＵＥの場合について示すものとする。このスケジューリングの動作としては、単純に受信品質の良いＵＥを選択することも考えられるし、ＵＥのＱｏＳを考慮したスケジューリングを行うことも考えられるが、どのようなスケジューリング方法を用いてもかまわない。
【００３１】
スケジューリング情報送信部１１０は、スケジューリング決定部１０９から出力されたスケジューリング情報をＣＱＩ情報の送信元であるＵＥに送信する。
【００３２】
図６は、本発明の実施の形態１に係るＵＥ２００の構成を示すブロック図である。この図において、報知情報受信部２０１は、図５に示したＮｏｄｅ Ｂ１００から送信された報知情報を受信し、受信した報知情報に含まれるＲＲＢ配置情報をＲＲＢ配置情報保持部２０３に出力すると共に、同じく受信した報知情報に含まれるＲＲＢ配置バージョンをＲＲＢ配置バージョン管理部２０２に出力する。
【００３３】
ＲＲＢ配置バージョン管理部２０２は、報知情報受信部２０１から出力されたＲＲＢ配置バージョンを管理し、管理しているＲＲＢ配置バージョンをＣＱＩ情報作成部２０６に出力する。
【００３４】
ＲＲＢ配置情報保持部２０３は、報知情報受信部２０１から出力されたＲＲＢ配置情報を保持し、保持したＲＲＢ配置情報をＣＱＩ報告値算出部２０５及びデータ割当ＲＲＢ判定部２０９に出力する。
【００３５】
受信品質測定部２０４は、図５に示したＮｏｄｅ Ｂ１００から送信された各サブキャリアの受信品質を測定し、測定した受信品質をＣＱＩ報告値算出部２０５に出力する。なお、受信品質の測定は、各サブキャリアに含まれているパイロット信号を用いて行うことなどが考えられるが、特にこれに限定されるものではない。
【００３６】
ＣＱＩ報告値算出部２０５は、ＲＲＢ配置情報保持部２０３から出力されたＲＲＢ配置情報に基づいて、受信品質測定部２０４から出力されたサブキャリア毎の受信品質をＲＲＢ毎の受信品質に変換し、ＲＲＢ毎の受信品質からＲＲＢ毎のＣＱＩ報告値を算出する。算出されたＣＱＩ報告値はＣＱＩ情報作成部２０６に出力される。なお、Distributed-channelを用いる場合には、ＲＲＢ毎ではなく全帯域の平均値が用いられることも考えられるので、全帯域に対するＣＱＩ報告値を算出することになる。ただし、ＣＱＩ報告値の算出方法はどのような方法でもよい。
【００３７】
なお、ここでは、ＲＲＢ配置情報はＲＲＢ配置情報保持部２０３からＣＱＩ報告値算出部２０５に出力されているが、受信品質測定部２０４に出力し、受信品質測定部２０４が受信品質を測定する際に、ＲＲＢ配置情報に基づいて受信品質を測定するようにしてもよい。
【００３８】
ＣＱＩ情報作成部２０６は、ＲＲＢ配置バージョン管理部２０２から出力されたＲＲＢ配置バージョンとＣＱＩ報告値算出部２０５から出力されたＣＱＩ報告値とを含めたＣＱＩ情報を作成し、作成したＣＱＩ情報をＣＱＩ送信部２０７に出力する。ＣＱＩ情報のフォーマットとしては、例えば、「Block 1: CQI 3, Block 2: CQI 1...」などのようにブロック毎にＣＱＩ報告値を含め、これと共にＲＲＢ配置バージョンを格納するものが考えられる。ＣＱＩ送信部２０７は、ＣＱＩ情報作成部２０６から出力されたＣＱＩ情報を図５に示したＮｏｄｅ Ｂ１００に送信する。
【００３９】
スケジューリング情報受信部２０８は、図５に示したＮｏｄｅ Ｂ１００から送信されたスケジューリング情報を受信し、受信したスケジューリング情報に基づいて、自局宛のデータがスケジューリングされているか否かを判定する。自局宛のデータがスケジューリングされている場合には、自局宛のデータが割り当てられたブロックをデータ割当ＲＲＢ判定部２０９に出力する。
【００４０】
データ割当ＲＲＢ判定部２０９は、ＲＲＢ配置情報保持部２０３から出力されたＲＲＢ配置情報に基づいて、スケジューリング情報受信部２０８から出力されたブロックがいずれのサブキャリアに相当するか判定する。すなわち、自局宛のデータがいずれのサブキャリアによって送信されたかを判定する。判定されたサブキャリア情報はデータ受信部２１０に出力される。
【００４１】
データ受信部２１０は、データ割当ＲＲＢ判定部２０９から出力されたサブキャリア情報に従って、このサブキャリアによって送信された自局宛のデータを受信する。
【００４２】
次に、図５に示したＮｏｄｅ Ｂ１００と図６に示したＵＥ２００との通信手順について図７を用いて説明する。図７において、ステップ（以下、「ＳＴ」と省略する）３０１では、Ｎｏｄｅ Ｂ１００がＲＲＢ配置情報と共にＲＲＢ配置バージョン（Value tag）を含めた報知情報をＵＥ２００に送信する。報知情報には、図８に示すように、Value tagとブロック毎に割り当てられたサブキャリアの情報が含まれる。ここでは、ＲＲＢ配置バージョンをValue tag=3とする。
【００４３】
ＳＴ３０２では、ＵＥ２００がＮｏｄｅ Ｂ１００から報知情報を受信し、受信した報知情報に含まれるＲＲＢ配置情報とＲＲＢ配置バージョンとを保持する。
【００４４】
ＳＴ３０３では、ＳＴ３０２において保持したＲＲＢ配置情報を用いてＣＱＩ報告値を算出し、算出したＣＱＩ報告値とＳＴ３０２において保持したＲＲＢ配置バージョン（Value tag=3）とを含めたＣＱＩ情報を作成する。ＳＴ３０４では、ＵＥ２００がＣＱＩ情報をＮｏｄｅ Ｂ１００に送信する。
【００４５】
ＳＴ３０５では、Ｎｏｄｅ Ｂ１００がＵＥ２００からＣＱＩ情報を受信し、受信したＣＱＩ情報に含まれるＲＲＢ配置バージョンからＵＥ２００が使用しているＲＲＢ配置情報を判定し、判定したＲＲＢ配置情報に基づいてスケジューリングを行う。ＳＴ３０６では、Ｎｏｄｅ Ｂ１００がスケジューリング情報をＵＥ２００に送信する。
【００４６】
ただし、ＵＥ２００が新しい報知情報を受信できていない場合には、古いＲＲＢ配置バージョン（例えばValue tag=2）を含めたＣＱＩ情報がＮｏｄｅ Ｂ１００に送られる。この場合には、Ｎｏｄｅ Ｂ１００は古いＲＲＢ配置（例えばValue tag=2で示される配置）を用いてスケジューリングを行うことが可能である。
【００４７】
なお、ここではスケジューリング情報にＲＲＢ配置を示す情報を含めない場合に関して示したが、ＵＥ２００に対して明示的に使用しているＲＲＢ配置を伝える、またはＵＥ２００がＣＱＩ情報で示したＲＲＢ配置と異なるＲＲＢ配置を用いた、などに対応するために、スケジューリング情報にＲＲＢ配置バージョン含めることも可能である。この場合には、データ割当ＲＲＢ判定部２０９がＮｏｄｅ Ｂ１００が指定したＲＲＢ配置バージョンからＲＲＢ配置を得ることが必要である。
【００４８】
また、ここでは報知情報について一つのＲＲＢ配置情報（パターン）のみを示したが、報知情報について複数のパターンが示されるようなことも考えられる。例えば、図９に示
すように複数のパターン（Pattern1〜5）を報知情報で通知し、実際にＵＥ２００にチャネルを割り当てる時にＮｏｄｅ Ｂ１００が使用するパターンを選択する、またはＵＥ２００が使用するパターンを自由に選択するなどの方法も考えられる。このような場合、ＣＱＩ情報を用いてどのパターンを使用しているかを通知することによって、Ｎｏｄｅ Ｂ１００はＵＥ２００の使用しているパターンを確認することが可能となる。
【００４９】
また、ここではＲＲＢ配置を示す情報としてValue Tagというバージョンを示す情報を用いたが、バージョンではなく配置情報を直接示せるような情報を用いてもよい。
【００５０】
また、ＲＲＢ配置情報はセル毎の情報と考えられるため、ハンドオーバを行った後には新たにＲＲＢ配置情報を読み直す必要がある。そのため、隣接セルのＲＲＢ配置情報も報知情報で送信するなどの手段や、ハンドオーバを指示するメッセージの中に隣接セルのＲＲＢ配置情報を含めることで、ＲＲＢ配置情報を読み直す必要を無くすことが考えられる。また、ハンドオーバを行う前には、ＵＥ２００からＮｏｄｅ Ｂ１００に対して他セルに対する受信品質情報が送信されると考えられる。この際に、他セルのＲＲＢ配置情報を保持しているか、または保持しているバージョンを通知することで、ＵＥの他セルに対するＲＲＢ配置情報を通知することなども考えられる。
【００５１】
このように実施の形態１によれば、ＲＲＢ配置情報と共に、ＲＲＢ配置情報のインデックスとしてのＲＲＢ配置バージョンが含まれた報知情報を受信したＵＥが、報知情報に含まれたＲＲＢ配置情報に基づいて算出したＣＱＩ報告値とＲＲＢ配置バージョンとを含めたＣＱＩ情報をＮｏｄｅ Ｂに送信することにより、ＵＥが使用しているＲＲＢ配置情報をＮｏｄｅ Ｂにおいて認識し、Ｎｏｄｅ ＢはＵＥが使用しているＲＲＢ配置情報に基づいてスケジューリングすることができるので、ＲＲＢ配置情報が変更された場合でも通信断を回避することができる。
【００５２】
（実施の形態２）
図１０は、本発明の実施の形態２に係るＮｏｄｅ Ｂの構成を示すブロック図である。図１０が図５と異なる点は、ＲＲＢ配置バージョン検出部１０５を削除した点と、ＲＲＢ配置バージョン管理部１０２をＲＲＢ配置変更タイミング決定部３０１に変更し、ＲＲＢ配置変更部１０３をＲＲＢ配置変更部３０２に変更し、ＲＲＢ配置情報保持部１０６をＲＲＢ配置情報保持部３０３に変更し、報知情報作成部１０７を報知情報作成部３０４に変更した点である。
【００５３】
図１０において、ＲＲＢ配置変更タイミング決定部３０１は、ＲＲＢ配置変更判定部１０１からＲＲＢの配置を変更するとの判定結果を取得し、ＲＲＢ配置情報を変更するタイミングを決定する。決定されたタイミング情報はＲＲＢ配置情報保持部３０３及び報知情報作成部３０４に出力される。なお、タイミング情報は、ＵＭＴＳ（Universal Mobile Telecommunications System）に存在するＳＦＮ（Super Frame Number）のフレーム番号等を用いることが考えられる。
【００５４】
ＲＲＢ配置変更部３０２は、ＲＲＢ配置変更判定部１０１からＲＲＢの配置を変更するとの判定結果を取得し、この判定結果と共にLocalized-channelを適用するＵＥとDistributed-channelを適用するＵＥとの変更後の比率などを取得し、取得した変更後の比率に基づいて、新しいＲＲＢの具体的な配置を変更する。変更した新しいＲＲＢ配置情報はＲＲＢ配置情報保持部３０３及び報知情報作成部３０４に出力される。
【００５５】
ＲＲＢ配置情報保持部３０３は、現在使用しているＲＲＢ配置情報を保持し、現在保持しているＲＲＢ配置情報にＲＲＢ配置変更部３０２から出力されたＲＲＢ配置情報をＲＲＢ配置変更タイミング決定部３０１から出力されたタイミングで上書きする。上書きされ
たＲＲＢ配置情報は報知情報作成部３０４に出力される。
【００５６】
報知情報作成部３０４は、ＲＲＢ配置情報保持部３０３から出力された現在のＲＲＢ配置情報を含めた報知情報を作成する。また、ＲＲＢ配置変更タイミング決定部３０１からタイミング情報と、ＲＲＢ配置変更部３０２から新たなＲＲＢ配置情報とが出力された場合、現在のＲＲＢ配置情報に加え、これらの情報を含めた報知情報を作成する。作成された報知情報は報知情報送信部１０８に出力される。
【００５７】
図１１は、本発明の実施の形態２に係るＵＥ４００の構成を示すブロック図である。図１１が図６と異なる点は、報知情報受信部２０１を報知情報受信部４０１に変更し、ＲＲＢ配置バージョン管理部２０２を切替タイミング監視部４０２に変更し、ＲＲＢ配置情報保持部２０３をＲＲＢ配置情報保持部４０３に変更し、ＣＱＩ情報作成部２０６をＣＱＩ情報作成部４０４に変更した点である。
【００５８】
報知情報受信部４０１は、図１０に示したＮｏｄｅ Ｂ３００から送信された報知情報を受信し、受信した報知情報に含まれるＲＲＢ配置情報をＲＲＢ配置情報保持部４０３に出力する。報知情報に新しいＲＲＢ配置情報及びタイミング情報が含まれている場合には、新しいＲＲＢ配置情報もＲＲＢ配置情報保持部４０３に出力し、タイミング情報を切替タイミング監視部４０２に出力する。
【００５９】
切替タイミング監視部４０２は、報知情報受信部４０１から出力されたタイミング情報に基づいて、ＲＲＢ配置情報の切り替えタイミングをカウントし、切り替えタイミングでＲＲＢ配置情報の切り替え指示をＲＲＢ配置情報保持部４０３に出力する。
【００６０】
ＲＲＢ配置情報保持部４０３は、報知情報受信部４０１から出力されたＲＲＢ配置情報を保持する。また、報知情報受信部４０１から新しいＲＲＢ配置情報が出力された場合には、切替タイミング監視部４０２から出力された切り替え指示に従って、使用するＲＲＢ配置情報を新しいＲＲＢ配置情報に変更する。ＲＲＢ配置情報保持部４０３は、現在使用するＲＲＢ配置情報をＣＱＩ報告値算出部２０５及びデータ割当ＲＲＢ判定部２０９に出力する。
【００６１】
ＣＱＩ情報作成部４０４は、ＣＱＩ報告値算出部２０５から出力されたＣＱＩ報告値を含めたＣＱＩ情報を作成し、作成したＣＱＩ情報をＣＱＩ送信部２０７に出力する。
【００６２】
次に、図１０に示したＮｏｄｅ Ｂ３００と図１１に示したＵＥ４００との通信手順について図１２を用いて説明する。図１２において、ＳＴ５０１では、Ｎｏｄｅ Ｂ３００がＲＲＢ配置情報を含めた報知情報をＵＥ４００に送信する。報知情報には、図１３に示すように、現在のＲＲＢ配置情報６０１、新しいＲＲＢ配置情報６０２及びタイミング情報（Activation time=SFN50）が含まれる。
【００６３】
ＳＴ５０２では、ＵＥ４００がＮｏｄｅ Ｂ３００から報知情報を受信し、受信した報知情報に含まれる現在のＲＲＢ配置情報、新しいＲＲＢ配置情報及びタイミング情報を保持する。
【００６４】
ＳＴ５０３では、タイミング情報（Activation time）の示す時刻になったため、Ｎｏｄｅ Ｂ３００が現在のＲＲＢ配置情報を新しいＲＲＢ配置情報に変更し、ＳＴ５０４では、ＵＥにおいても同様に現在のＲＲＢ配置情報を新しいＲＲＢ配置情報に変更する。なお、ＳＴ５０３及びＳＴ５０４は、タイミング情報の示す時刻で同時に行われるものである。
【００６５】
ＳＴ５０５では、ＳＴ５０４において変更したＲＲＢ配置情報を用いてＣＱＩ報告値を算出し、算出したＣＱＩ報告値を含めたＣＱＩ情報を作成し、ＳＴ５０６では、ＵＥ４００がＣＱＩ情報をＮｏｄｅ Ｂ３００に送信する。
【００６６】
ＳＴ５０７では、Ｎｏｄｅ Ｂ３００がＵＥ４００からＣＱＩ情報を受信し、受信したＣＱＩ情報に含まれるＣＱＩ報告値に基づいてスケジューリングを行い、ＳＴ５０８では、Ｎｏｄｅ Ｂ３００がスケジューリング情報をＵＥ４００に送信する。
【００６７】
このように実施の形態２によれば、現在のＲＲＢ配置情報、新しいＲＲＢ配置情報及びこれら２つのＲＲＢ配置情報を切り替えるタイミング情報が含まれた報知情報を受信したＵＥが、タイミング情報に基づいて、現在のＲＲＢ配置情報を新しいＲＲＢ配置情報に変更し、Ｎｏｄｅ ＢにおいてもＵＥと同じタイミングで現在のＲＲＢ配置情報を新しいＲＲＢ配置情報に変更することにより、Ｎｏｄｅ ＢはＵＥが使用しているＲＲＢ配置情報に基づいてスケジューリングすることができるので、ＲＲＢ配置情報が変更された場合でも通信断を回避することができる。
【００６８】
以上、本発明の実施の形態について説明した。
【００６９】
上記各実施の形態では、本発明をハードウェアで構成する場合を例にとって説明したが、本発明はソフトウェアで実現することも可能である。
【００７０】
また、実施の形態１と実施の形態２とを組み合わせて実現することも可能である。
【００７１】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００７３】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００７４】
本明細書は、２００５年１１月４日出願の特願２００５−３２１４４８に基づくものである。この内容は全てここに含めておく。
【産業上の利用可能性】
【００７５】
本発明にかかる無線通信基地局装置、無線通信移動局装置、無線通信方法及び無線通信システムは、ＲＲＢ配置情報の変更に伴う通信断を回避することができ、移動体通信システム等に適用できる。
【図面の簡単な説明】
【００７６】
【図１】Localized-channelとDistributed-channelの概念図
【図２】Localized-channelとDistributed-channelの配置を可変にした場合の説明に供する図
【図３】ＲＲＢ配置情報の変更方法の説明に供する図
【図４】ＲＲＢ配置情報１及びＲＲＢ配置情報２の一例を示す図
【図５】本発明の実施の形態１に係るＮｏｄｅ Ｂの構成を示すブロック図
【図６】本発明の実施の形態１に係るＵＥの構成を示すブロック図
【図７】図５に示したＮｏｄｅ Ｂと図６に示したＵＥとの通信手順を示すシーケンス図
【図８】報知情報に含まれるＲＲＢ配置情報とＲＲＢ配置バージョンを示す図
【図９】複数のＲＲＢ配置情報を報知情報によって通知する場合の説明に供する図
【図１０】本発明の実施の形態２に係るＮｏｄｅ Ｂの構成を示すブロック図
【図１１】本発明の実施の形態２に係るＵＥの構成を示すブロック図
【図１２】図１０に示したＮｏｄｅ Ｂと図１１に示したＵＥとの通信手順を示すシーケンス図
【図１３】報知情報に含まれる現在のＲＲＢ配置情報、新しいＲＲＢ配置情報及びタイミング情報
【手続補正３】
【補正対象書類名】図面
【補正対象項目名】全図
【補正方法】変更
【補正の内容】
【図１】
2007052769.tif 000016
【図２】
2007052769.tif 000017
【図３】
2007052769.tif 000018
【図４】
2007052769.tif 000019
【図５】
2007052769.tif 000020
【図６】
2007052769.tif 000021
【図７】
2007052769.tif 000022
【図８】
2007052769.tif 000023
【図９】
2007052769.tif 000024
【図１０】
2007052769.tif 000025
【図１１】
2007052769.tif 000026
【図１２】
2007052769.tif 000027
【図１３】
2007052769.tif 000028
【国際調査報告】
2007052769.tif 000029
2007052769.tif 000030
2007052769.tif 000031
2007052769.tif 000032